(57)【要約】      （修正有）【課題】走行の安全性を高め、装着が便利で、時間や手間を省く車用多機能ライトを提供する。【解決手段】車用多機能ライトは主に、ライト外殻１０、ライトカバー２０、複数のＬＥＤ３１からなる光源部３０により構成される。前記光源部は最低二組以上を備え、光源部の内の最低一組はデイライトとし、他は位置灯、霧灯、方向灯の何れか一つ若しくは一種以上とし、ライト外殻内の異なるライトエリア内にそれぞれ装着し、並びに、それぞれを電気制御システムと電気的に接続させることで該車用多機能ライトを構成する。【選択図】図１
0003151603.tif 000002
【実用新案登録請求の範囲】
【請求項１】
ライト外殻、ライトカバー、光源部により構成される車用多機能ライトは、
前記ライト外殻の内部は二つ以上のライトエリアに分割され、
前記光源部は最低二組以上を備え、光源部の内の最低一組はデイライトとし、他は位置灯、霧灯、方向灯の何れか一つ若しくは一種以上とし、ライト外殻内の異なるライトエリア内にそれぞれ装着し、並びに、それぞれを電気制御システムと電気的に接続させることを特徴とする車用多機能ライト。
【請求項２】
請求項１記載の車用多機能ライトにおいて、前記ライト外殻やライトカバーの外観輪郭サイズは、各種の形状や大きさに設計することが可能で、外付け方式で車体外部に追加装着することを特徴とする車用多機能ライト。
【請求項３】
請求項１記載の車用多機能ライトにおいて、前記ライト外殻やライトカバーの外観輪郭サイズは、自動車に元々配備した車用位置灯、方向灯、霧灯…等の規格、サイズ、形状に基づくことを特徴とする車用多機能ライト。
【請求項４】
請求項１記載の車用多機能ライトにおいて、前記デイライトは回路制御によって明度を低下させ、並びに位置灯を兼ね備えた二重機能を達成することを特徴とする車用多機能ライト。
【考案の詳細な説明】
【技術分野】
【０００１】
本考案は車用多機能ライトに関し、特に自動車用の他の指示灯機能を兼ね備えるデイライト構造に係り、規定もしくは安全性に基づいて昼間専用の補助ライトを自動車に取り付けて使用する時、ライトの装着位置を別に探して設置する必要なく、自動車に元々配備されている位置灯、霧灯、方向灯の装着位置を直接選択して交換取り付けするだけでよく、装着が便利で、時間や手間が省ける効果を達成する。
【背景技術】
【０００２】
現在使用中の乗用車は、各種の自動車、ツーリングワゴン、バス、その他の車両を含み、乗用車の正面前方或は／及び後方面に数個の照明灯以外の指示灯を設置しており、車ヘッドまたは車後方両側のライト装着可能場所には前記の法定指示灯（方向灯、位置灯、後方のブレーキ灯等）が既に目一杯配置されている。しかし、現在、国や地方によっては、乗用車のデイライトを点灯し（昼間専用の車両指示灯、その明度は一般の指示灯より強く、照明灯より弱い）車両走行を明確にすることが規定に明文化されており、且つ車両に近い両側の特定エリア位置に装着を限定することが規定されている。よって、車両に配備されている各種ライトの他にデイライトを追加装着しなければならない困難度があり、特に、自家用車の精巧で美しいボディの外側にデイライトを追加装着する為の装着孔を開けるのは難しく、外側に露出させるのなら突出して美観を損なう故、研究開発の必要と改善の要望が求められている。
【考案の概要】
【考案が解決しようとする課題】
【０００３】
本考案の目的は、走行時の安全規定と要望に符合し、簡単に装着可能なデイライトにより機構簡素化、便利な装着、コスト低減等の効果を達成する車用多機能ライトを提供することにある。
【課題を解決するための手段】
【０００４】
前記の考案目的を達成する為に、本考案の車用多機能ライトは主に、ライト外殻、ライトカバー、光源部により構成される。前記ライト外殻内部は二つ以上のライトエリアに分割する。前記光源部は最低二組以上であり、光源部の内の最低一組はデイライトとし、他は位置灯、霧灯、方向灯の何れか一つ若しくは一種以上とし、ライト外殻内の異なるライトエリア内にそれぞれ装着し、並びに、それぞれを電気制御システムと電気的に接続させ、同一のライト外殻及びライトカバーで構成されたライトにデイライト及びその他の指示灯機能を兼ね備える自動車ライトである。
【０００５】
前述の車用多機能ライトにおける、ライト外殻及びライトカバーの外観輪郭サイズは、各種の形状や大きさに設計可能で、外付け方式で車体外部に追加装着できる。また、自動車に元々配備した車用位置灯、方向灯、霧灯…等の規格、サイズ、形状の設計に基づき、元々の装置である前記指示灯の位置に車用多機能ライトを交換装着するものである。
【０００６】
前述の構造を使用した場合、非定型形式の外付け型ライトを選択することが可能で、元々外付けしている霧灯やその他の補助灯の位置に装着し、装着位置を別に探す手間が省け、一つで二つ又は三つの機能を持たせることが可能となり、多種の車両ライトをたくさん取り付ける奇妙な現象を防ぐ。また、元来設備と同様規格の車用多機能ライトを選択する場合は、元来のライトと交換してその位置に直接装着すればよい。よって、本考案は、国の交通法規定に符合し、自己の走行の安全性を高められ、装着が便利で、時間や手間を省く効果を持つ車用多機能ライトである。
【考案の効果】
【０００７】
本考案の車用多機能ライトは、多機能性、装着の便利性、人力や時間の節約という効果を確実に達成する。
【図面の簡単な説明】
【０００８】
【図１】本考案の実施例に関する分解図である。
【図２】図１の立体外観図である。
【図３】本考案の実施例に関する分解図である。
【図４】図３の立体外観図である。
【考案を実施するための形態】
【０００９】
図１〜図４に示す通り、本考案の車用多機能ライトは、主に、ライト外殻１０、ライトカバー２０、及び光源部３０により構成される。前記ライト外殻１０内部は二つ以上のライトエリアに分割する。前記光源部３０は最低二組以上を備え、光源部３０の内の最低一組はデイライトとし、他は位置灯、霧灯、方向灯の何れか一つ若しくは一種以上とし、ライト外殻１０内の異なるライトエリア内にそれぞれ装着し、並びに、それぞれを電気制御システムと電気的に接続させ、同一のライト外殻１０及びライトカバー２０で構成されたライトにデイライト及びその他の指示灯機能を兼ね備える自動車ライトである。
【００１０】
前述の車用多機能ライトにおいて、ライト外殻１０及びライトカバー２０の外観輪郭サイズは各種形状もしくは大きさに設計することが可能であり、外付け方式でボディ外部に追加装着する（図１及び図２参照）。また、自動車に元々配備した車用位置灯、方向灯、霧灯…等の規格、サイズ、形状の設計に基づき、元々の装置である前記指示灯の位置に車用多機能ライトを交換装着するものである（図３及び図４参照）。
【００１１】
前述の構造に示す通り、本考案の実施例における光源部３０は複数の白色光や黄色光の発光ダイオード（ＬＥＤ）３１を回路板３２若しくはライト台３３に組み合わせて構成されるものであり、並びに、ライト中の反射鏡４０によって光源部３０の投射光エリアを区切ることにより、確実に多用途の効果を達成するライトとなる。また、図１及び図２の実施例に示す通り、ライトの二方側にはそれぞれ二つのサポート部５０を設け、ライトの装着時は、サポート部５０によって前後バンパーのボディや車ヘッドのファンネットフレーム上（図省略）、または、規定の装着エリアにおいて、何れの位置にも固定可能である。
【００１２】
前述の構造に基づき、非定型形式の外付け型ライトを選択して元々外付けしている霧灯やその他の補助灯の位置に取り付けられ、装置位置を別に探す手間が省け、一つで二つ又は三つの機能を持たせることが可能となり、多種の車両ライトをたくさん取り付ける奇妙な現象を防ぐ。また、元来設備と同様規格の車用多機能ライトを選択する場合は、元来のライトと交換してその位置に直接装着すればよい。または、回路制御方式によって、前記デイライトを明度が比較的低く位置灯を兼ね備えた二重機能のライトに取り替えることもできる。よって、本考案は、国の交通法規定に符合するもので、自分の走行の安全性を高められ、装着が便利で、時間や手間を省く効果を持つものである。
【００１３】
前述した実施例の車用多機能ライトは、本考案の多種実施例の内、二つの実施例である故、本考案の実用新案請求の範囲はこれに制限されず、本考案の構想を逸脱しない精神において技術領域に属する者が提示する同等効果の変化例は何れも本発明の実用新案の範囲内に含まれるものとする。
【符号の説明】
【００１４】
１０  ライト外殻
２０  ライトカバー
３０  光源部
３１  発光ダイオード
３２  回路板
３３  ライト台
４０  反射鏡
５０  サポート部
【図１】
0003151603.tif 000003
【図２】
0003151603.tif 000004
【図３】
0003151603.tif 000005
【図４】
0003151603.tif 000006
【手続補正書】
【提出日】平成21年4月23日(2009.4.23)
【手続補正１】
【補正対象書類名】明細書
【補正対象項目名】０００５
【補正方法】変更
【補正の内容】
【０００５】
前述の車用多機能ライトにおける、ライト外殻及びライトカバーの外観輪郭サイズは、各種の形状や大きさに設計可能で、外付け方式で車体外部に追加装着できる。また、自動車に元々配備した車用位置灯、方向灯、霧灯の規格、サイズ、形状の設計に基づき、元々の装置である前記指示灯の位置に車用多機能ライトを交換装着するものである。
【手続補正２】
【補正対象書類名】明細書
【補正対象項目名】００１０
【補正方法】変更
【補正の内容】
【００１０】
前述の車用多機能ライトにおいて、ライト外殻１０及びライトカバー２０の外観輪郭サイズは各種形状もしくは大きさに設計することが可能であり、外付け方式でボディ外部に追加装着する（図１及び図２参照）。また、自動車に元々配備した車用位置灯、方向灯、霧灯の規格、サイズ、形状の設計に基づき、元々の装置である前記指示灯の位置に車用多機能ライトを交換装着するものである（図３及び図４参照）。
【手続補正３】
【補正対象書類名】実用新案登録請求の範囲
【補正対象項目名】全文
【補正方法】変更
【補正の内容】
【実用新案登録請求の範囲】
【請求項１】
ライト外殻、ライトカバー、光源部により構成される車用多機能ライトは、
前記ライト外殻の内部は二つ以上のライトエリアに分割され、
前記光源部は最低二組以上を備え、光源部の内の最低一組はデイライトとし、他は位置灯、霧灯、方向灯の何れか一つ若しくは一種以上とし、ライト外殻内の異なるライトエリア内にそれぞれ装着し、並びに、それぞれを電気制御システムと電気的に接続させることを特徴とする車用多機能ライト。
【請求項２】
請求項１記載の車用多機能ライトにおいて、前記ライト外殻やライトカバーの外観輪郭サイズは、自動車に元々配備した車用位置灯、方向灯、霧灯の規格、サイズ、形状に基づくことを特徴とする車用多機能ライト。
【請求項３】
請求項１記載の車用多機能ライトにおいて、前記デイライトは回路制御によって明度を低下させ、並びに位置灯を兼ね備えた二重機能を達成することを特徴とする車用多機能ライト。